(57)【要約】【課題】扉の建て込み時に扉を上方へ持ち上げることなく、建て込み作業が容易にできる開口部装置を提供する。【解決手段】本発明にかかる開口部装置１は、枠３と、扉５と、旗丁番を備え、旗丁番７は、扉５に取り付けた扉側旗部１７と枠３に取り付けた枠側旗部１９からなり、扉側旗部１７は、軸２１と、軸保持部２３とを有し、枠側旗部１９は、軸２１を挿入する受け部４１を有し、軸保持部２３は、軸２１を下方に向けて進退自在に付勢しており、軸２１の下端部３１が軸保持部２３から下方に突出してあり且つ受け部４１の上端４１ｂに当接すると上方に上がるように軸２１を保持してある。【選択図】図１
2015151751.tif 000002
【特許請求の範囲】
【請求項１】
枠と、扉と、旗丁番を備え、旗丁番は、扉に取り付けた扉側旗部と枠に取り付けた枠側旗部からなり、扉側旗部は、軸と、軸保持部とを有し、枠側旗部は、軸を挿入する受け部を有し、軸保持部は、軸を下方に向けて進退自在に付勢しており、軸の下端部が軸保持部から下方に突出してあり且つ受け部の上端に当接すると上方に上がるように軸を保持してあることを特徴とする開口部装置。
【発明の詳細な説明】
【技術分野】
【０００１】
本発明は、ドアや開きサッシ等の開口部装置に関する。
【背景技術】
【０００２】
特許文献１の図１１及び図１２には、添付図面の図７に示すように、枠側旗部１０１に上方に突出した軸１０３を設け、扉側旗部１０５には、軸１０３を挿入する受け部１０７を設けた旗丁番１１１を備える開口部装置１１３が開示されている。
この特許文献１の図１１及び図１２の開口部装置１１３では、添付図面の図７（ａ）に示すように、扉１１５を上方へ持ち上げて、扉側旗部１０５の受け部１０７を枠側旗部１０１の軸１０３にその上端から挿入することで、添付図面の図７（ｂ）に示すように、各枠側旗部１０１に各々扉側旗部１０５を嵌合して、扉１１５を枠１１７に建て込んでいる。
【先行技術文献】
【特許文献】
【０００３】
【特許文献１】特開２００７−２２４５７６号公報
【発明の概要】
【発明が解決しようとする課題】
【０００４】
しかし、この特許文献１の図１１及び図１２の開口部装置では、枠に扉を建て込むときには、扉を上方へ持ち上げて各枠側旗部に扉側旗部を嵌合しているので、扉を上方へ持ち上げる負担が大きいという問題があった。
また、複数の丁番について、各受け部に軸を挿入する位置を合わせて各々同時に軸を挿入する必要があるから、扉を上方へ持ち上げた状態で各枠側旗部と扉側旗部との位置合わせが同時に必要なので、建て込み作業がし難いという問題があった。
【０００５】
そこで、本発明は、扉の建て込み時に扉を上方へ持ち上げることなく、建て込み作業が容易にできる開口部装置の提供を目的とする。
【課題を解決するための手段】
【０００６】
請求項１に記載の発明は、枠と、扉と、旗丁番を備え、旗丁番は、扉に取り付けた扉側旗部と枠に取り付けた枠側旗部からなり、扉側旗部は、軸と、軸保持部とを有し、枠側旗部は、軸を挿入する受け部を有し、軸保持部は、軸を下方に向けて進退自在に付勢しており、軸の下端部が軸保持部から下方に突出してあり且つ受け部の上端に当接すると上方に上がるように軸を保持してあることを特徴とする開口部装置である。
【発明の効果】
【０００７】
請求項１に記載の発明によれば、扉の建て込み時には、扉を枠に対して水平に移動することにより、扉側旗部の軸の下端部が受け部の上端に当接すると軸が上方に上がり、そのまま扉を水平移動させることにより受け部に軸が挿入して、枠側旗部に扉側旗部を嵌合できるから、従来技術のように扉を上方に持ち上げなくて済むので、扉を持ち上げる負担が少ない。
上下に複数の丁番がある場合でも、扉の水平移動により、各枠側旗部に対して対応する扉側旗部との位置合わせが容易にでき、建て込み作業が容易である。
【図面の簡単な説明】
【０００８】
【図１】本発明の実施の形態にかかる開口部装置において、枠に扉を建て込むときの枠側旗部と、扉側旗部とを示す断面図であり、（ａ）は扉側旗部が水平移動して枠側旗部に近づいている状態であり、（ｂ）は扉側旗部の軸の下端部が受け部の上端に乗り上げた状態であり、（ｃ）は軸が受け部の軸挿通孔に対応した位置にある状態であり、（ｄ）は枠側旗部と扉側旗部との嵌合状態を示す図である。
【図２】本発明の実施の形態にかかる開口部装置であって、嵌合前の枠側旗部と扉側旗部とを示す斜視図である。
【図３】本発明の実施の形態にかかる開口部装置の横断面図である。
【図４】本発明の実施の形態にかかる開口部装置の図であり、扉を建て込んだ状態を示す横断面図である。
【図５】枠側旗部と扉側旗部とを嵌合した旗丁番の図であり、（ａ）は室内側から見た正面図、（ｂ）は左側面図、（ｃ）は背面図、（ｄ）は平面図である。
【図６】本発明の実施の形態にかかる開口部装置を室外側から見た正面図であり、一点鎖線で抜き出して示すのはカバー材と丁番隠し部とを示す図である。
【図７】従来の開口部装置における扉の建て込みを示す図であり、（ａ）は枠側旗部と扉側旗部とを嵌合する前の状態を示す正面図であり、（ｂ）は枠側旗部と扉側旗部とを嵌合した状態を示す正面図である。
【発明を実施するための形態】
【０００９】
以下に、添付図面を参照して本発明の実施の形態を説明する。
図６に示すように、本実施の形態にかかる開口部装置１は、ドアであり、枠３と、扉５と、旗丁番７とを備えている。
枠３の吊元側竪枠３ａは、図３に示すように、室内側見付面９と、見込面１１とを備えており、室内側見付面９と見込面１１とで横断面略Ｌ字形状を成している。
扉５の吊元側竪框５ａは、室外側見付面１３と、見込面１５とを有し、室外側見付面１３と見込面１５とで横断面略Ｌ字形状を成している。
図１及び図２に示すように、旗丁番７は、扉５に取り付けた扉側旗部１７と、枠３に取り付けた枠側旗部１９から構成されている。
【００１０】
扉側旗部１７は、軸２１と、軸保持部２３とを有し、軸保持部２３は円筒状であり、軸保持部２３内には軸２１が上下動自在に収納されている。軸保持部２３と軸２１との間には軸２１を下方に向けて付勢するスプリング２５が設けてある。
軸２１の胴部には、側面からねじ２７が軸２１を貫通して螺合してある。軸２１の下端部３１は、下側の径を小さくした円錐台形状を成しており、下方側の径を小さくするように傾斜した傾斜面３１ａと平面状の下端３１ｂとが形成されている。
軸保持部２３の側面には、上下方向の長孔３３が形成してあり、長孔３３の上部にはねじ２７の頭２７ａを受ける上ねじ受け部３３ａが形成してあり、長孔３３の下部にもねじ２７の頭２７ａを受ける下ねじ受け部３３ｂが形成されている。上ねじ受け部３３ａはねじ２７の頭２７ａを受けた状態でねじ２７の頭２７ａが上下方向に所定寸法Ｈ１（図１（ｄ）参照）を移動自在にしてある。寸法Ｈ１は、図１（ａ）に示すように、軸２１の下端部３１が軸保持部２３から下方に突出している寸法Ｈ２と略同じである。
長孔３３の幅（左右方向の孔幅）はねじ２７の軸部２７ｂが上下動自在に挿通する寸法であり、上ねじ受け部３３ａ及び下ねじ受け部３３ｂは、ねじ２７の軸部２７ｂよりも大きく且つねじ２７の頭２７ａ以下の幅寸法の凹みである。
軸保持部２３の側面には、下ねじ受け部３３ｂに対応する位置にねじ２７の先端が螺合可能なねじ孔３５が形成されている。
尚、図２に示すように、扉側旗部１７は、扉側竪框５ａの見込面１５に固定する扉側固定部３７を有し、軸保持部２３を室外側見付面１３と見込み面部１５とが成すＬ字の空間内に配置して扉側固定部３７を扉側竪框５ａの見込面１５にねじ３８で固定してある。
【００１１】
図１及び図２に示すように、枠側旗部１９は、軸２１が挿入される受け部４１と枠３に固定する枠固定部４３（図２及び図３参照）とを有し、受け部４１と枠固定具４３とは連結部４５により受け部４１の突設位置を調整自在に連結してある。
受け部４１は、金属製で円筒形状の本体４１ａを有し、本体４１ａの円筒内に軸２１を挿入する軸挿入孔４２が形成されている。本体４１ａの上端部には、軸２１の先端部を案内するガイド部４７と、落ち止め部４９とが設けてある。本実施の形態では、ガイド部４７と落ち止め部４９とは樹脂材で一体に形成されている。
図２に示すように、ガイド部４７は、吊元側縦枠３ａの室外側で、本体４１ａの上端部の外周面に沿って略半周分を覆うように設けてあり、ガイド部４７の上端４７ａは、本体４１ａの上端４１ｂと略面一にしてある。ガイド部４７の上端４７ａの幅は、本体４１ａの上端の幅と略同幅としてある。
落ち止め部４９は、吊元側縦枠３ａの室内側で、本体４１ａの上端部の外周面に沿って略半周の範囲を覆うように設けてあり、落ち止め部４９の上端４９ａは、本体４１ａの上端４１ｂよりも上に位置している。
図５（ｂ）に示すように、連結部４５は、枠固定部４３と受け部４１との寸法を調整自在であり、水平方向の長孔４５ａが形成してあり、受け部４１の取付部４１ｃとに長孔４５ａを挿通するねじ４８で固定してあり、受け部４１が室外側に突出する位置を調整自在に連結している。
【００１２】
図６及び図３に示すように、扉５の吊元側竪框５ａには、室外側見付面１３と見込面１５との間の空間を覆うカバー部５１と丁番隠し部５３とが設けてある。カバー部５１と丁番隠し部５３とで扉５の上下に全体に亘って室外側見付面１３と見込面１５との間の空間を覆っているが、丁番隠し部５３は旗丁番７に対応する位置で着脱自在に設けてある。尚、本実施の形態では、図６に示すように、枠側旗部１９の受け部４１に設けたガイド部４７の外周面を露出してあり、丁番隠し部５３はガイド部４７の外周面に対応する部位は切除してある。
カバー部５１と丁番隠し部５３とは、横断面が同一形状であり、図３に示すように、吊元側竪框５ａにおいて、室外側見付面１３に係合する一方側係合部５５ａと見込面１５に係合する他方側係合部５５ｂとを備え、一方側係合部５５ａと他方側係合部５５ｂとの間は室内側に突出する湾曲面５５ｃとしてある。枠側旗部１９のガイド部４７はその外周面がカバー部５１と丁番隠し部５３との湾曲面５５ｃと略一致した形状であり、これらの湾曲面と面一としてある。
吊元側竪枠３ａの室内側見付面９には、その内周側端部に吊元側タイト材５７が取り付けてあり、扉５の開閉時にカバー部５１及び丁番隠し部５３の湾曲面５５ｃの外周面に当接するようにしてある。
【００１３】
次に、本実施の形態にかかる開口部装置１における扉５の建て込みについて説明する。
図４及び図５に示すように、吊元側竪枠３ａの室内側見付面９の室外側面に枠側旗丁番１９の枠固定部４３をねじ４４で固定し、連結部４５の位置調整をして連結部４５をねじ４８で固定する。
一方、図２に示すように、扉５には扉側旗丁番１７の扉側固定部３７をねじ３８で固定する。
その後、枠３に扉５を建て込むが、扉５の建て込み時には、図２及び図１（ａ）に示すように、枠３の室外側から、吊元側竪框５ａを室内側に向けて、吊元側竪枠３ａの室内側見付面９に向けて、扉５を矢印Ａ方向に水平移動する。
このとき、扉側旗丁番１７では、軸２１はスプリング２５により下方に付勢されているが、ねじ２７の頭２７ａが上ねじ受け部３３ａの下端に係合して下方への移動が規制されている。軸２１の下端部３１は軸保持部２３の下端から下方に突出した状態にある。
更に、扉５を矢印Ａ方向に水平移動すると、軸２１の下端部３１は傾斜面３１ａが、軸保持部２３のガイド部４７に横から当接し、図１（ｂ）に矢印Ｂで示すように傾斜面３１ａに沿って軸２１が押し上げられ、軸２１の下端部３１の下端３１ｂがガイド部４７の上端４７ａに乗り上げる。
引き続き、扉５を矢印Ａ方向に移動すると、図１（ｃ）に示すように、軸２１の下端部３１が受け部４１の軸挿入孔４２にと一致したところで、軸２１はスプリング２１の付勢力により下方に移動して軸２１の下端部３１が受け部４１の軸挿入孔４２に入り込む。一方、軸２１が下方に移動すると、ねじ２７の頭２７ａが上ねじ受け部３３ａの下端に当接して軸２１がそれよりも下方に移動するのを阻止した状態で保持され、図１（ｃ）に示すように、軸２１の下端部３１のみが受け部４１の軸挿入孔４２内に入り込む。
図１（ａ）〜（ｃ）の一連の操作では、ねじ２７の頭２７ａは、軸２１の下端部３１の上下動に伴って上ねじ受け部３３ａの上下寸法Ｈ１（図１（ｄ）参照）内を移動する。
図１（ａ）〜（ｃ）の操作は、本実施の形態では、上下３箇所に旗丁番７があるので、各旗丁番７で同時になされる。
そして、各旗丁番７では図１（ｃ）に示すように、枠側旗丁番１９と扉側旗丁番１７とが嵌合状態にあるので、扉５を枠３に預けた状態で、ねじ２７を緩め、ねじ２７の頭２７ａを長孔３３の上ねじ受け部３３ａとの係合から外して、長孔３３にねじ２７の軸を位置させる。
これにより、軸２１はスプリング２５の付勢力により下方に押され、ねじ２７は長孔３３を下方に移動して、下端部３１が受け部４１の軸挿入孔４２内に深く挿入されたところで、図１（ｄ）に示すように、ねじ２７の軸が長孔３３の下ねじ受け部（下端）３３ｂに当接して軸２１の下方への移動が制限される。この位置でねじ２７を締め付けてねじ２７の先端を軸保持部２３に形成されているねじ孔３５に螺合して、ねじ２７と共に軸２１を軸保持部２３に固定する。
【００１４】
その後、図４及び図６に示すように、扉５の吊元側竪框５ａにカバー部５１、丁番隠し部５５を嵌め、図３に示すように、扉５を閉じる。
扉５の建て込み後に、旗丁番７の調整やメンテナンスをおこなう場合には、各丁番隠し部５３を外すことにより、旗丁番７を露出して調整やメンテナンスを行なう。
【００１５】
次に、本実施の形態にかかる開口部装置１の作用効果について説明する。
図１（ａ）（ｂ）に示すように、扉５の建て込み時には、扉５を枠３に対して矢印Ａで示すように、水平に移動することにより、扉側旗部１７の軸２１の下端部３１が受け部４１の上端４１ｂに当接すると軸２１が上方に上がり、図１（ｃ）に示すように、更に扉５を水平移動させることにより受け部４１の軸挿入孔４２に軸２１の下端部３１が挿入した後、図１（ｄ）に示すように、枠側旗部１９に扉側旗部１７を嵌合できるから、従来技術のように扉５を上方に持ち上げなくて済むので、扉５を持ち上げる負担が少ない。
図６に示すように、上下に複数の旗丁番７がある場合でも、図１（ａ）〜（ｃ）に示すように、扉５の水平移動により、各枠側旗部１９に対して対応する扉側旗部１７との位置合わせが容易にでき、建て込み作業が容易である。
【００１６】
図１に示すように、軸２１の下端部３１が受け部４１の上端４１ｂに当接すると、上方に上がり、次に受け部４１の軸挿入孔４２に対応する位置で下方に下がり、受け部４１の軸挿入孔４２に挿入することで枠側旗部１９に扉側旗部１７を嵌合できるから、その後の建て込み作業中に扉５を枠３に預けることができ、更に建て込み作業が容易である。
図１（ｂ）に示すように、受け部４１には、外周側に、水平移動してくる軸２１を受け部４１の軸挿入孔４２に案内するガイド部４７を設けているので、軸２１を軸挿入孔４２に容易に誘導できるから、更に、建て込み作業が容易である。
受け部４１には、受け部４１の上端４１ｂを移動する軸２１が受け部４１の上端４１ｂから落ちるのを防止する落ち止め部４９が設けてあるから、更に、建て込み作業が容易である。
図３及び図６に示すように、旗丁番７は、吊元側竪框５ａの室外側見付面１３と見込面１５との間に設けて、カバー部５１と丁番隠し部５３とで覆って外部へ露出してないようにしてあるから、旗丁番７が外部から見えないので外観が良く、防犯性に優れると共に吊元側タイト材５７旗丁番７との間に指を挟むのを防止できる。また、火災時に旗丁番７に直接火があたらないので、旗丁番７の溶融による扉５の落下を防止できる。
扉５の吊元側竪框５ａには、旗丁番７に対応した位置に脱着自在な丁番隠し部５３を設けてあるので、建て込み後の旗丁番７の調整やメンテナンスが容易にできる。
【００１７】
図１に示すように、軸２１の下端部３１は逆円錐台形状としているので、軸２１の下端部３１が受け部４１の上端４１ｂに当接したときに容易に軸２１を上方へ移動することができる。
図５に示すように、枠側旗部１９は、枠固定部４３と受け部４１との間に位置調整自在な連結部４５を設けているので、受け部４１の位置調整が容易にできる。
図６に示すように、旗丁番７は、扉５の上下方向に間隔をあけて３箇所に設けているので、扉５の上端と下端に設けるピボットドアと比較して熱反りを防止できる。
図１に示すように、軸保持部２３に設けた長孔３３に上ねじ受け部３３ａと下ねじ受け部３３ｂとを設けて軸２１に取付けたねじ２７の頭２７ａを受けることで、軸２１の上下位置を規制しているので、簡易な構造で且つ容易に軸２１の位置規制ができる。
【００１８】
本発明は、上述した実施の形態に限らず、本発明の要旨を逸脱しない範囲で種々変形可能である。
例えば、開口部装置１は、ドアに限らず、開きサッシや門扉等であっても良い。
受け部４１の外周側に設けたガイド部４７や落ち止め部４９は、受け部４１に一体に形成しても良い。
図１（ｄ）に示すように、ねじ２７を軸保持部２３に固定する場合には、ねじ２７の先端は、軸保持部２３に形成されたねじ孔３５に螺合することに限らず、窪みに螺合するものでも良い。また、ねじ２７の先端は、軸保持部２３の内周壁に当接することにより固定するものであっても良く、この場合、下ねじ受け部３３ｂの幅寸法は長孔３３の孔幅と同じでも良い。
扉５の建て込みは、複数の旗丁番７を同時に嵌合しても良いし、その内の一つの旗丁番７、例えば最上にある旗丁番７を嵌合して扉５を枠３に預けてから、他の旗丁番７を嵌合しても良い。
【符号の説明】
【００１９】
１    開口部装置
３    枠
５    扉
７    旗丁番
１７  扉側旗部
１９  枠側旗部
２１  軸
２３  軸保持部
３１  軸の下端部
４１  受け部
４１ｂ  受け部の上端
４２  軸挿入孔
【図１】
2015151751.tif 000003
【図２】
2015151751.tif 000004
【図３】
2015151751.tif 000005
【図４】
2015151751.tif 000006
【図５】
2015151751.tif 000007
【図６】
2015151751.tif 000008
【図７】
2015151751.tif 000009